(57)【要約】【課題】ホームヘルパーにより一冊子に記録された介護サービスに関する記録情報を、一方において要介護者の日記として活用することができると共に、他方においては介護サービス事業者への報告書として活用することができる在宅介護日記帳を提供する。【解決手段】介護サービス日の記入欄，介護サービス内容の表示欄及び連絡事項の記入欄が所定のレイアウトで表頁に表示された日記用紙と、日記用紙の上記表示事項と同一事項が上記所定のレイアウトと同一レイアウトで表頁に表示された報告書用紙とからなる上下一対の単位用紙の多数が重積して綴じ合わされていると共に、各単位用紙における下位側に配設された各報告書用紙は分離可能に綴じ合わされているものである。【選択図】　　図１
2004058441.tif 000002
【特許請求の範囲】
【請求項１】
介護サービス日の記入欄，介護サービス内容の表示欄及び連絡事項の記入欄が所定のレイアウトで表頁に表示された日記用紙と、日記用紙の上記表示事項と同一事項が上記所定のレイアウトと同一レイアウトで表頁に表示された報告書用紙とからなる上下一対の単位用紙の多数が重積して綴じ合わされていると共に、各単位用紙における下位側に配設された各報告書用紙は分離可能に綴じ合わされていることを特徴とする在宅介護日記帳。
【請求項２】
前記報告書用紙は、感圧複写紙により構成されていることを特徴とする請求項１に記載された在宅介護日記帳。
【発明の詳細な説明】
【０００１】
【発明の属する技術分野】
本発明は、在宅介護日記帳に関し、詳しくは、ホームヘルパーにより一冊子に記録された介護サービスに関する記録情報を、一方において要介護者の日記として活用することができると共に、他方においては介護サービス事業者への報告書として活用することができる在宅介護日記帳に関するものである。
【０００２】
【従来の技術】
介護保険制度によって、要介護者は在宅サービスを受けることができるようになり、在宅サービスとして、介護サービス事業者から派遣されるホームヘルパーにより日常生活の介護や家事援助等のホームヘルプサービスが提供されている。ホームヘルプサービスの具体的な内容としては、例えば、食事、排泄、衣類の着脱、入浴、身体の清拭、洗髪、通院などの介助、調理、衣類の洗濯、掃除、整理整頓、生活必需品の買物、必要機関との連絡、介護に関する相談や助言などの多種多様なものが挙げられる。
【０００３】
一方において、介護サービス事業者から派遣されるホームヘルパーは、フルタイム勤務者あるいは時間差のある各種パートタイム勤務者等の勤務条件が一律でなく、これら異なる勤務条件のホームヘルパーにより、上述した多種多様のホームヘルプサービスを行うものであるから、適切な介護サービスの提供にあたっては、ホームヘルパーによるヘルプサービスの実施の確認及びホームヘルパー間の連携が重要な課題となる。
【０００４】
このホームヘルパーによるヘルプサービスの実施の確認及びホームヘルパー間の連携を可能とする一手段として、従来、在宅介護用の日誌が提案されている（実用新案登録第３０６５９８０号公報）。この在宅介護用の日誌は、朝、昼、夕の食事の献立メニュー及び食べた量を記載する食事欄と、水分摂取の時刻及び量を記載する水分欄と、排尿及び排便の時刻を記載する排尿排便欄と、体温を記載する体温欄と、血圧及び必要に応じて脈拍を記載する血圧欄と、一日の生活の記録を時系列で記載する生活記録欄と、各欄の一部に後の人に連絡事項等を記載する送り事項欄と、看護婦等専門家の記載欄と、生活記録欄に被介護者の特性に合わせて必要事項を記載する特記欄を設けた一枚用紙からなるものであり、これにより、ホームヘルパー間相互の意思の伝達が可能となるので、チーム内の緊密な連携が可能となり、円滑な在宅介護を促すことができる、としている。
【０００５】
【発明が解決しようとする課題】
しかしながら、上記従来技術の在宅介護用の日誌は、日誌が一枚用紙からなるものであり、介護サービス事業者から派遣されるホームヘルパーは、この日誌用紙を携帯して要介護者を訪問し、要介護者宅で介護サービスに基づいてサービス内容を日誌用紙に記載し、サービス内容が記載された日誌を持ち帰って介護サービス事業者に報告することにより、訪問介護サービス業務を終了するのであるが、次に派遣されるホームヘルパーが前に派遣されたホームヘルパーと緊密に連携するためには、前回の日誌を正確に確認する必要があり、この日誌に記載された多種多様な介護サービスの内容を正確に確認することが困難である、という不都合があった。
【０００６】
また、ホームヘルパーは訪問介護サービス業務を終えるにあたっては、日誌を報告書として要介護者宅から持ち帰り介護サービス事業者に報告するものであるから、要介護者宅には介護サービスの内容記録が存在しないため、次に派遣されるホームヘルパーは前に派遣されたホームヘルパーの介護サービスの内容を要介護者宅で再確認することができず、ホームヘルパー間の緊密な連携が困難となるばかりでなく、長期に亘って介護を要する要介護者にとっても、自身の介護記録から容体の推移を振り返ることができない、という不都合があった。
【０００７】
本発明は、上記従来技術における問題点を解決するもので、ホームヘルパーにより一冊子に記録された介護サービスに関する記録情報を、一方において要介護者の日記として活用することができると共に、他方においては介護サービス事業者への報告書として活用することができる在宅介護日記帳を提供することを目的とするものである。
【０００８】
【課題を解決するための手段】
上記目的を達成するために、請求項１に係る発明は、介護サービス日の記入欄，介護サービス内容の表示欄及び連絡事項の記入欄が所定のレイアウトで表頁に表示された日記用紙と、日記用紙の上記表示事項と同一事項が上記所定のレイアウトと同一レイアウトで表頁に表示された報告書用紙とからなる上下一対の単位用紙の多数が重積して綴じ合わされていると共に、各単位用紙における下位側に配設された各報告書用紙は分離可能に綴じ合わされているものである。
【０００９】
請求項１に係る発明によれば、在宅介護日記帳を構成する日記用紙と報告書用紙とからなる上下一対の単位用紙には、介護に関する同一の表示事項が同一レイアウトでそれぞれの表頁に表示されているものであるから、両用紙間に複写紙を介挿して日記用紙に介護に関する事項を記録することにより、同時に報告書用紙にも介護に関する同一事項を記録することができ、しかも、報告書用紙は分離可能に綴じ合わされているから、報告書用紙を在宅介護日記帳から分離することにより、容易に報告書を作成することができる。
【００１０】
この在宅介護日記帳を要介護者宅に常備することにより、ホームヘルパーは訪問介護サービスを提供後に、在宅介護日記帳から分離した報告書用紙を要介護者宅から持ち帰り報告書として介護サービス事業者に報告するのであるが、次に派遣されるホームヘルパーは前に派遣されたホームヘルパーの介護サービスの内容を要介護者宅で在宅介護日記帳の日記用紙に記録された介護に関する事項により確認することができるから、ホームヘルパー間の緊密な連携を図ることができると共に、要介護者にとっても、手元に常備されている在宅介護日記帳の日記用紙に記録された自身の介護記録から容体の推移を振り返ることができ、要介護者は、在宅介護日記帳を「生活のあゆみ」として有効に活用することができる。
【００１１】
請求項２に係る発明は、請求項１に記載された発明において、報告書用紙は、感圧複写紙により構成されているものである。
【００１２】
請求項２に係る発明によれば、日記用紙と報告書用紙とからなる上下一対の単位用紙における下位側に配設された報告書用紙は感圧複写紙により構成されているから、日記用紙に介護に関する事項を記録するのみで、同時に報告書用紙にも介護に関する同一事項を容易に記録することができ、ホームヘルパーは多種多様な介護サービスの効率の向上を図ることができる。
【００１３】
【発明の実施の形態】
以下、本発明の実施の形態を図に基づいて説明するが、本発明は、介護に関する事項が表示された日記用紙と、日記用紙の表示事項と同一事項が表示された報告書用紙とからなる上下一対の単位用紙の多数が重積して綴じ合わされている在宅介護日記帳であり、この在宅介護日記帳にホームヘルパーにより記録された介護サービスに関する記録情報を、一方において要介護者の日記として活用することができると共に、他方においては介護サービス事業者への報告書として活用することができるもので、図１は、在宅介護日記帳の斜視図であり、また、図２は、日記用紙又は報告書用紙の平面図である。
【００１４】
先ず、図１を参照しながら、在宅介護日記帳の実施の形態について説明すると、在宅介護日記帳は、後で詳述する介護に関する事項が所定のレイアウトで表頁に表示された日記用紙１と、日記用紙１の表示事項と同一事項が表示された報告書用紙２とからなる上下一対の単位用紙の多数が重積して、表紙３と共に上端部において接着剤４により綴じ合わされて一体に構成されている。
【００１５】
日記用紙１には、その上段部に、ホームヘルプサービスの書誌的な事項として、「利用者名」の記入欄１４，「サービス提供者名」の記入欄１７，「サービス日時」の記入欄１１，「サービスの種類」のチェック欄１５および「利用者状況」のチェック欄１６等が設けられており、「サービス日時」の記入欄１１には、「年月日，時分〜時分，時間」が表示され、「サービスの種類」のチェック欄１５には、「身体介護，家事援助，その他サービス（　　　　）」が表示され、「利用者状況」のチェック欄１６には、「［顔色］良好・普通・不良，［食欲］良好・普通・不良」が表示され、記入ないしはチェック表示（数字ないしは丸印）が簡単で、しかも見易くなっている。
【００１６】
また、日記用紙１の中段部には、ホームヘルプサービスの主要な事項として、「サービス内容」のチェック欄１２が設けられており、ホームヘルプサービスの具体的な内容である、「保清介助（洗面・洗髪・髭剃り・歯磨き・その他）、整容介助（着替え・ブラシ・爪切り・その他）、入浴介助（入浴・手浴・足浴・全身清拭・部分清拭・その他）、排泄介助（トイレ・Ｐトイレ・オムツ交換・陰部清浄清拭・その他）、食事介助（座位保持・食事・果物・おやつ・水分補給・その他）、移動介助（移乗・移動・体位変換・その他）、外出介助（送迎・買物・散歩・通院・その他）、見守介助（入浴・整容・排泄・食事・移動・外出・その他）、食事準備（調理・配膳・下膳・片付け・その他）、投薬指示（服薬・塗布・点眼・確認）、掃除実施（掃除機掛け・拭き掃除・整理整頓・その他）、洗濯実施（洗濯機・手洗い・洗濯物干し・たたみ）、代行外出（買物・引取り・その他）、その他（布団干し・シーツ交換・裁縫・アイロンがけ）」等の多種多様なサービス内容が表示されており、チェック表示（丸印）が簡単で、しかも見易くなっていると共に、各サービス項目毎に更に特記事項を記載することができる「記録」の記入欄１２’が設けられ、充実したヘルプサービスを記録することができるようになっている。
【００１７】
さらに、日記用紙１の下段部には、ホームヘルパー相互間の連携事項として、「連絡事項」の記入欄１３が設けられており、「連絡事項」の記入欄１３は更に細分化され、ホームヘルパー間の緊密な連携を図るための「申し送り」の記入欄１３’、および要介護者の家族からの要望事項等を記載することができる「ご家族より」の記入欄１３”が設けられ、ヘルプサービスのさらなる充実と向上を図ることができるようになっている。
【００１８】
報告用紙２には、上述した日記用紙１の上段部に表示されたホームヘルプサービスの書誌的事項，中段部に表示されたホームヘルプサービスの主要事項および下段部に設けられたホームヘルパー相互間の連携事項等からなる、日記用紙１の表示事項と同一事項が、日記用紙１の所定のレイアウトと同一レイアウトで表頁に表示されている。なお、報告用紙２は、感圧複写紙により構成されていてもよい。
【００１９】
在宅介護日記帳は、上記のように構成された介護に関する事項が所定のレイアウトで表頁に表示された日記用紙１と、日記用紙１の表示事項と同一事項が表示された報告書用紙２とからなる上下一対の単位用紙の多数が重積して、表紙３と共に上端部において接着剤４により綴じ合わされて一体に構成されていると共に、各単位用紙における下位側に配設された各報告書用紙２は、接着剤４に対して分離可能に綴じ合わされている。なお、各報告書用紙２の在宅介護日記帳からの分離は、各報告書用紙２の上端部近傍にミシン目を付すことによってもよい。
【００２０】
本発明の在宅介護日記帳の実施の形態は上述のとおりであり、この在宅介護日記帳を要介護者宅に常備し、ホームヘルパーにより在宅介護日記帳の日記用紙１に介護に関する事項を記録することによって、同時に報告書用紙２にも介護に関する同一事項を記録することができ、しかも、報告書用紙２は分離可能に綴じ合わされているから、報告書用紙２を在宅介護日記帳から分離することによって、一方において要介護者の日記として活用することができると共に、他方においては介護サービス事業者への報告書として活用することができるものである。
【００２１】
【発明の効果】
以上のように構成される本発明によると、在宅介護日記帳を構成する日記用紙と報告書用紙とからなる上下一対の単位用紙には、介護に関する同一の表示事項が同一レイアウトでそれぞれの表頁に表示されているものであるから、両用紙間に複写紙を介挿して日記用紙に介護に関する事項を記録することにより、同時に報告書用紙にも介護に関する同一事項を記録することができ、しかも、報告書用紙は分離可能に綴じ合わされているから、報告書用紙を在宅介護日記帳から分離することにより、容易に報告書を作成することができる。
【００２２】
この在宅介護日記帳を要介護者宅に常備することにより、ホームヘルパーは訪問介護サービスを提供後に、在宅介護日記帳から分離した報告書用紙を要介護者宅から持ち帰り報告書として介護サービス事業者に報告するのであるが、次に派遣されるホームヘルパーは前に派遣されたホームヘルパーの介護サービスの内容を要介護者宅で在宅介護日記帳の日記用紙に記録された介護に関する事項により確認することができるから、ホームヘルパー間の緊密な連携を図ることができると共に、要介護者にとっても、手元に常備されている在宅介護日記帳の日記用紙に記録された自身の介護記録から容体の推移を振り返ることができ、要介護者は、在宅介護日記帳を「生活のあゆみ」として有効に活用することができる。
【図面の簡単な説明】
【図１】本発明に係る在宅介護日記帳の斜視図である。
【図２】本発明に係る在宅介護日記帳における日記用紙・報告用紙の平面図である。
【符号の説明】
１　　…日記用紙
１１　…サービス日時欄
１２　…サービス内容欄
１２’…記録欄
１３　…連絡事項欄
１３’…申し送り欄
１３”…ご家族より欄
１４　…利用者名欄
１５　…サービスの種類欄
１６　…利用者状況欄
１７　…サービス提供者欄
２　　…報告用紙
３　　…表紙
４　　…接着剤
【図１】
2004058441.tif 000003
【図２】
2004058441.tif 000004